(57)【要約】【課題】利用者が、端末装置から、望みの書籍を容易に閲覧できるようにし、かつ、著作権の保護を精緻に実施する。【解決手段】データ格納サーバ１１は、出版社システム４０から転送される書籍データを圧縮して格納する。利用者認証サーバ１２は、利用者端末２０から図書サーバシステム１０を使用する利用者の管理、および、認証を行う。データ検索サーバ１３は、利用者端末２０からの書籍内容の検索を可能とし、データ格納サーバ１１、および、利用者認証サーバ１２と連携して書籍内容のダウンロード要求の受け付け、および、可否の判断を行い、ダウンロード可であれば、データ提供サーバ１４は、データ格納サーバ１１より書籍内容を受け取り、書籍内容と閲覧プログラムとの組を作成し、暗号化装置１５は、書籍内容と閲覧プログラムとの組の暗号化を行い、利用者端末２０へ送信する。【選択図】　　　図１
2004046406.tif 000002
【特許請求の範囲】
【請求項１】
書籍を電子化して原稿本体、管理データからなる書籍データとして保持する出版社システムと、前記出版社システムからネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する図書サーバシステムとを有することを特徴とする電子図書システム。
【請求項２】
書籍を電子化して原稿本体、管理データからなる書籍データとして保持する出版社システムと、前記出版社システムからネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する図書サーバシステムとを有することを特徴とする電子図書システム。
【請求項３】
１以上の利用者端末と、図書サーバシステムとを備え、
書籍を電子化して原稿本体、管理データからなる書籍データとして保持する出版社システムと、前記出版社システムからネットワークを介して書籍データを受信し、管理データから生成した検索用キーワード、圧縮した書籍の原稿本体を保持し、前記利用者端末からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記利用者端末へ送信する前記図書サーバシステムと、前記図書サーバシステムに前記ネットワークを介し書籍データの検索要求を送信し、前記図書サーバシステムから受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記利用者端末とを有することを特徴とする電子図書システム。
【請求項４】
書籍を電子化して原稿本体、管理データからなる書籍データとして保持する第１の手順と、前記第１の手順からネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する第２の手順とを含むことを特徴とする電子図書方法。
【請求項５】
書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する第２の手順とを含むことを特徴とする電子図書方法。
【請求項６】
第１の手順と、第２の手順と、第３の手順とを含み、
書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、前記第３の手順からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記第３の手順へ送信する前記第２の手順と、前記第２の手順に前記ネットワークを介し書籍データの検索要求を送信し、前記第２手順から受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記第３の手順とを含むことを特徴とする電子図書方法。
【請求項７】
書籍を電子化して原稿本体、管理データからなる書籍データとして保持する第１の手順と、前記第１の手順からネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する第２の手順とをコンピュータに実行させることを特徴とするプログラム。
【請求項８】
書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する第２の手順とをコンピュータに実行させることを特徴とするプログラム。
【請求項９】
第１の手順と、第２の手順と、第３の手順とを含み、
書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、前記第３の手順からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記第３の手順へ送信する前記第２の手順と、前記第２の手順に前記ネットワークを介し書籍データの検索要求を送信し、前記第２手順から受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記第３の手順とをコンピュータに実行させることを特徴とするプログラム。
【発明の詳細な説明】
【０００１】
【発明の属する技術分野】
本発明は、電子図書システム、電子図書方法、および、プログラムに関し、特に、著作権保護、利用者の利便性を考慮した電子図書システム、電子図書方法、および、プログラムに関する。
【０００２】
【従来の技術】
現在、電子出版者協会（ＪＥＰＡ）を中心に書籍のデータフォーマットの仕様化が進行中であり、ＸＭＬを基本としたＪｅｐａＸ（ジェパエックス）という名称で統一されつつある。
【０００３】
また、「特開平０７−２３０４６６号公報」記載の技術は、図書館において主にイメージを中心とした書籍データを保有し、インターネットを介した利用者に対しての検索サービスや保有している書籍データの内容参照サービス、実際のその書籍を保有する図書館の紹介等の情報提供のみを実現するものである。
【０００４】
また、「特開平５−７５７３２号公報」記載の技術は、「書籍、資料等の内容の図書情報を収容した電子ファイルと指定された検索条件に基づいてこの電子ファイルの検索を行う検索制御手段とを有する電子ファイル図書館と、可視表示部を有し情報を入出力する電話端末と、前記電子ファイル図書館及び前記電話端末を収容し情報の転送及び交換を行うディジタル交換網とを備え、図書情報を検索する際に、前記ディジタル交換網を介して前記電話端末と前記電子ファイル図書館間を接続し、調査したいキーワード、分野等の検索条件情報を前記電話端末より入力し前記電子ファイル図書館に伝送し、前記検索制御手段により前記電子ファイルを検索し該当する図書情報を前記電話端末に返送し、前記電話端末にて返送された図書情報の音声による出力又は可視表示を行う構成」である。
【０００５】
【発明が解決しようとする課題】
上述の「特開平０７−２３０４６６号公報」記載の技術では、実際に書籍内容を閲覧できないという問題がある。そのため、図書の内容を知るためには、図書館に行くか郵送などで送ってもらう必要がある。
【０００６】
また、「特開平５−７５７３２号公報」記載の技術は、書籍の著作権の保護が十分でないという問題がある。その理由は、書籍の利用期限に関する制限を考慮していないからである。
【０００７】
本発明の目的は、利用者が、端末装置から、望みの書籍を容易に閲覧できるようにし、かつ、著作権の保護を精緻に実施することである。
【０００８】
【課題を解決するための手段】
本発明の第１の電子図書システムは、書籍を電子化して原稿本体、管理データからなる書籍データとして保持する出版社システムと、前記出版社システムからネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する図書サーバシステムとを有することを特徴とする。
【０００９】
本発明の第２の電子図書システムは、書籍を電子化して原稿本体、管理データからなる書籍データとして保持する出版社システムと、前記出版社システムからネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する図書サーバシステムとを有することを特徴とする。
【００１０】
本発明の第３の電子図書システムは、１以上の利用者端末と、図書サーバシステムとを備え、書籍を電子化して原稿本体、管理データからなる書籍データとして保持する出版社システムと、前記出版社システムからネットワークを介して書籍データを受信し、管理データから生成した検索用キーワード、圧縮した書籍の原稿本体を保持し、前記利用者端末からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記利用者端末へ送信する前記図書サーバシステムと、前記図書サーバシステムに前記ネットワークを介し書籍データの検索要求を送信し、前記図書サーバシステムから受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記利用者端末とを有することを特徴とする。
【００１１】
本発明の第１の電子図書方法は、書籍を電子化して原稿本体、管理データからなる書籍データとして保持する第１の手順と、前記第１の手順からネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する第２の手順とを含むことを特徴とする。
【００１２】
本発明の第２の電子図書方法は、書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する第２の手順とを含むことを特徴とする。
【００１３】
本発明の第３の電子図書方法は、第１の手順と、第２の手順と、第３の手順とを含み、書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、前記第３の手順からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記第３の手順へ送信する前記第２の手順と、前記第２の手順に前記ネットワークを介し書籍データの検索要求を送信し、前記第２手順から受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記第３の手順とを含むことを特徴とする。
【００１４】
本発明の第１のプログラムは、書籍を電子化して原稿本体、管理データからなる書籍データとして保持する第１の手順と、前記第１の手順からネットワークを介して書籍データを受信し、管理データから生成した検索用キーワード、書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を前記ネットワークを介し前記利用者端末へ送信する第２の手順とをコンピュータに実行させることを特徴とする。
【００１５】
本発明の第２のプログラムは、書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、利用者端末からの書籍データの検索を検索用キーワードを使用して実施し、検索対象の書籍データを保持していれば、書籍の原稿本体と書籍の原稿本体を閲覧するためのプログラムとの組を暗号化して前記ネットワークを介し前記利用者端末へ送信する第２の手順とをコンピュータに実行させることを特徴とする。
【００１６】
本発明の第３のプログラムは、第１の手順と、第２の手順と、第３の手順とを含み、書籍を電子化して原稿本体、管理データからなる書籍データとして保持する第１の手順と、前記第１の手順からネットワークを介して書籍データを受信し、管理データから生成した検索用キーワード、圧縮した書籍の原稿本体を保持し、前記第３の手順からの書籍データの検索要求に対し、認証を実施し、検索用キーワードを使用して検索を実施し、検索対象の書籍データを保持していれば、書籍の原稿本体と書籍の原稿本体を閲覧するための利用期限の制限機能を持つプログラムとの組を暗号化して前記ネットワークを介し前記第３の手順へ送信する前記第２の手順と、前記第２の手順に前記ネットワークを介し書籍データの検索要求を送信し、前記第２手順から受信した書籍の原稿本体を利用者から指定されると、書籍の原稿本体を閲覧するための利用期限の制限機能を持つプログラムを起動し、書籍の原稿本体を表示し、利用期限を超過すると書籍の原稿本体を閲覧するための利用期限の制限機能を持つプログラムによる書籍の原稿本体の表示を不可とする前記第３の手順とをコンピュータに実行させることを特徴とする。
【００１７】
【発明の実施の形態】
次に、本発明の第１の実施の形態について図面を参照して詳細に説明する。
【００１８】
図１は、本発明の第１の実施の形態の構成を示すブロック図である。
【００１９】
図１を参照すると、本発明の第１の実施の形態は、コンピュータで構成されるデータ格納サーバ１１、コンピュータで構成される利用者認証サーバ１２、コンピュータで構成されるデータ検索サーバ１３、コンピュータで構成されるデータ提供サーバ１４、および、コンピュータで構成される暗号化装置１５を含む図書サーバシステム１０と、パーソナルコンピュータ等で構成される１以上の利用者端末２０と、コンピュータで構成される１以上の出版社システム４０と、図書サーバシステム１０、利用者端末２０、および、出版社システム４０を接続するインターネット等のネットワーク５０とから構成される。
【００２０】
ここで、図書サーバシステム１０と出版社システム４０とを接続するネットワーク５０と、図書サーバシステム１０と利用者端末２０とを接続するネットワーク５０とは別であってもよい。
【００２１】
データ格納サーバ１１は、出版社の管理する出版社システム４０から転送される書籍データを圧縮して格納する。
【００２２】
通常、出版社は、書籍を電子化して書籍データとして、出版社システム４０に保存しており、図書サーバシステム１０は、出版社システム４０からネットワーク５０を介して購入された（図書サーバシステム１０の経営者により）書籍データを受信し、書籍の原稿本体をデータ格納サーバ１１へ、検索用キーワードをデータ検索サーバ１３へ格納する。書籍データは、ネットワーク５０経由でなく、記録媒体等に記録されたものでもよい。
【００２３】
書籍データは、たとえば、ＸＭＬ形式で記述された原稿本体と、その書誌情報と呼ばれる管理データ（書名、著者名、出版者、価格、版年など）とから構成され、データ格納サーバ１１が、原稿本体を圧縮し、内部に格納する。また、データ検索サーバ１３は、書誌情報である管理データから検索用キーワード（書名、著者等）を抽出・生成し内部に格納する。
【００２４】
利用者認証サーバ１２は、利用者端末２０から図書サーバシステム１０を使用する利用者の登録内容、利用状況の管理、および、認証を行う。
【００２５】
データ検索サーバ１３は、利用者端末２０からの書籍内容の検索を可能とし、データ格納サーバ１１、および、利用者認証サーバ１２と連携して書籍内容のダウンロード要求の受け付け、および、可否の判断を行い、ダウンロード可であれば、データ提供サーバ１４へダウンロードが可能であることを通知する。
【００２６】
データ提供サーバ１４は、データ格納サーバ１１より書籍内容を受け取り、書籍内容と閲覧プログラムとの組を暗号化装置１５に送る。暗号化装置１５は、書籍内容と閲覧プログラムとの組の暗号化を行い、利用者端末２０へ送信する。
【００２７】
次に、本発明の第１の実施の形態の動作について図面を参照して説明する。
【００２８】
まず、書籍データの格納について説明する。
【００２９】
図２は、本発明の第１の実施の形態の動作を示すフローチャートである。
【００３０】
図２を参照すると、まず、図書サーバシステム１０は、購入対象の書籍の書籍データ要求をネットワーク５０を介し、出版社システム４０に送信する（図２ステップＡ１）。出版社システム４０は、図書サーバシステム１０からの書籍データ要求をネットワーク５０介して受信すると（図２ステップＢ１）、対応する書籍データをネットワーク５０介して図書サーバシステム１０へ送信する（図２ステップＢ２）。
【００３１】
図書サーバシステム１０は、出版社システム４０からネットワーク５０を介し書籍データを受信すると（図２ステップＡ２）、データ格納サーバ１１が、受信した書籍データ内の原稿本体を圧縮し、内部に格納する（図２ステップＡ３）。また、データ検索サーバ１３が、受信した書籍データ内の管理データから検索用キーワード（書名、著者等）を抽出・生成し内部に格納する（図２ステップＡ４）。
【００３２】
利用者端末２０は、利用者の操作にしたがい、図書サーバシステム１０の利用者認証サーバ１２がネットワーク５０に開設している利用者ホームページにアクセスし、利用者登録画面の表示要求を送信する（図２ステップＣ１）。
【００３３】
次に、利用者登録の動作について説明する。
【００３４】
図３は、本発明の第１の実施の形態の動作を示すフローチャートである。
【００３５】
図３を参照すると、利用者認証サーバ１２は、利用者端末２０からネットワーク５０を介して利用者登録画面の表示要求を受信すると（図３ステップＡ５）、ネットワーク５０を介し利用者端末２０へ利用者登録画面を送信する（図３ステップＡ６）。
【００３６】
利用者端末２０は、ネットワーク５０を介し利用者認証サーバ１２から利用者登録画面を受信すると（図２ステップＣ２）、ディスプレイ等にブラウザ等で利用者登録画面を表示する（図２ステップＣ３）。
【００３７】
利用者が、ブラウザ等で画面に表示された利用者登録画面に、氏名、生年月日、住所、メールアドレス、希望する利用者ＩＤとパスワード等の利用者情報を入力すると、入力された利用者情報を暗号化しネットワーク５０を介し利用者認証サーバ１２に送信する（図２ステップＣ４）。
【００３８】
利用者認証サーバ１２は、暗号化された利用者情報を受信すると（図３ステップＡ７）、暗号を解読し、利用者情報を仮登録し、利用者情報に含まれるメールアドレスに対し、利用者本登録用ネットワークアドレス（ＵＲＬ）を含む電子メールを送信する（図３ステップＡ８）。
【００３９】
利用者端末２０が、利用者本登録用ネットワークアドレス（ＵＲＬ）を含む電子メールを受信し（図２ステップＣ５）、利用者の指示により、利用者本登録用ネットワークアドレス（ＵＲＬ等）で指定される本登録用ホームページ等の画面を表示する（図２ステップＣ６）。
【００４０】
次に、利用者が、本登録用ホームページ等の画面に、利用者ＩＤ、および、パスワードを入力し、ログインを実施すると、利用者端末２０は、ネットワーク５０を介し利用者ＩＤとパスワードを利用者認証サーバ１２へ送信する（図２ステップＣ７）。利用者認証サーバ１２は、ネットワーク５０を介し、利用者端末２０から本登録用ホームページ等の画面に入力された利用者ＩＤとパスワードを受信すると（図３ステップＡ９）、先に受信した利用者情報を内部に本登録する（図３ステップＡ１０）。
【００４１】
次に、利用者が書籍データをダウンロードする場合の動作について説明する。
【００４２】
図４は、本発明の第１の実施の形態の動作を示すフローチャートである。
【００４３】
図５は、書籍利用者認証用画面を示す説明図である。
【００４４】
図６は、書籍検索画面を示す説明図である。
【００４５】
図４を参照すると、利用者の操作により、利用者端末２０は、ブラウザ等によりネットワーク５０を介し、図書サーバシステム１０のデータ検索サーバ１３がネットワーク５０に開設している書籍利用者認証用画面の転送要求を送信する（図４ステップＣ８）。データ検索サーバ１３は、書籍利用者認証用画面の転送要求を受信すると（図４ステップＡ１１）、書籍利用者認証用画面の画面をネットワーク５０を介し利用者端末２０へ送信する（図４ステップＡ１２）。
【００４６】
利用者端末２０は、図書サーバシステム１０からネットワーク５０を介し書籍利用者認証用画面の画面を受信すると（図４ステップＣ９）、書籍利用者認証用画面の画面を表示する（図４ステップＣ１０）。利用者端末２０は、図５に示すように、利用者により利用者ＩＤ（ａｂｃｄｅｆｇ）、および、パスワード（＊＊＊＊＊＊＊＊）が入力されると、利用者ＩＤ、および、パスワードをネットワーク５０を介し、図書サーバシステム１０へ送信する（図４ステップＣ１１）。
【００４７】
図書サーバシステム１０のデータ検索サーバ１３は、利用者端末２０からネットワーク５０を介し利用者ＩＤ、および、パスワードを受信すると（図４ステップＡ１３）、利用者認証サーバ１２に転送する。利用者認証サーバ１２は、データ検索サーバ１３からの利用者ＩＤ、および、パスワードを本登録されている内容と比較し、認証を実施する（図４ステップＡ１４）。認証不可であれば（図４ステップＡ１４／ＮＯ）、利用者認証サーバ１２は、認証不可であることをデータ検索サーバ１３に通知し、データ検索サーバ１３は、ネットワーク５０を介し利用者端末２０に認証不可通知を送信する（図４ステップＡ１５）。
【００４８】
利用者端末２０は、図書サーバシステム１０からネットワーク５０を介し認証不可通知を受信すると（図４ステップＣ１２）、認証不可通知を表示する（図４ステップＣ１３）。
【００４９】
利用者認証サーバ１２は、認証可であれば（図４ステップＡ１４／ＹＥＳ）、認証不可であることをデータ検索サーバ１３に通知し、データ検索サーバ１３は、ネットワーク５０を介し利用者端末２０に書籍検索画面を送信する（図４ステップＡ１６）。
【００５０】
利用者端末２０は、図書サーバシステム１０からネットワーク５０を介し書籍検索画面を受信すると（図４ステップＣ１４）、書籍検索画面を表示する（図４ステップＣ１５）。
【００５１】
図６を参照すると、書籍検索画面には書名、著者名、出版者、出版年、件名、キーワード等の書籍入力情報の入力領域があり、その書籍入力情報に基づきフリーワードでの検索が可能である。
【００５２】
利用者端末２０は、利用者からの書籍入力情報を受け付けると、書籍入力情報をネットワーク５０を介し図書サーバシステム１０に送信する（図４ステップＣ１６）。
【００５３】
図書サーバシステム１０のデータ検索サーバ１３は、利用者端末２０からネットワーク５０を介し書籍入力情報を受信すると（図４ステップＡ１７）、書籍入力情報に基づいて対応する書籍の書籍データを格納しているかどうか調べ（図４ステップＡ１８）、格納していれば、データ格納サーバ１１に利用者ＩＤ、および、書籍入力情報を通知する。データ格納サーバ１１は、利用者ＩＤ、書籍データの圧縮された原稿本体をデータ提供サーバ１４に転送する。データ提供サーバ１４は、書籍データの圧縮された原稿本体と書籍データ閲覧用プログラムとの組を作成し（図４ステップＡ１９）、暗号化装置１５に転送する。
【００５４】
暗号化装置１５は、書籍データの圧縮された原稿本体と書籍データ閲覧用プログラムとの組を暗号化し（図４ステップＡ２０）、利用者ＩＤに対応する利用者端末２０に送信する（図４ステップＡ２１）。
【００５５】
利用者端末２０は、ネットワーク５０を介し、暗号化された書籍データの圧縮された原稿本体と書籍データ閲覧用プログラムとの組を受信すると（図４ステップ１７）、暗号を解読し、書籍データの圧縮された原稿本体と書籍データ閲覧用プログラムとに分離する（図４ステップＣ１８）。利用者端末２０は、利用者により、書籍データの圧縮された原稿本体がダブルクリック等で指定されると、書籍データ閲覧用プログラムを起動し、圧縮された原稿本体を解凍し、画面に表示させる（図４ステップＣ１９）。
【００５６】
また、閲覧用プログラムには利用期限監視機能が存在し、閲覧用プログラムの使用開始から利用期限（たとえば６０日）までの利用制限を実施する。利用期限になると閲覧プログラムは自身の起動を抑止する。したがって、利用者端末２０からの書籍データの原稿本体の閲覧が制限される。
【００５７】
次に本発明の第２の実施の形態について図面を参照して詳細に説明する。
【００５８】
本発明の第２の実施の形態は、書籍を電子化して原稿本体、管理データからなる書籍データとして保持する第１の手順（図２ステップＢ１、Ｂ２）と、前記第１の手順からネットワーク５０を介して書籍データを受信し（図２ステップＡ２）、管理データから生成した検索用キーワード、圧縮した書籍の原稿本体を保持し（図２ステップＡ３）、第３の手順からの書籍データの検索要求に対し、認証を実施し（図４ステップＡ１４）、検索用キーワードを使用して検索を実施し（図４ステップＡ１８）、検索対象の書籍データを保持していれば、書籍の原稿本体と書籍の原稿本体を閲覧するための利用期限の制限機能を持つプログラムとの組を暗号化してネットワーク５０を介し前記第３の手順へ送信する前記第２の手順（図４ステップＡ１９〜Ａ２１）と、前記第２の手順にネットワーク５０を介し書籍データの検索要求を送信し（図４ステップＣ８〜Ｃ１６）、前記第２手順から受信した書籍の原稿本体を利用者から指定されると、書籍の原稿本体を閲覧するための利用期限の制限機能を持つプログラムを起動し、書籍の原稿本体を表示し（図４ステップＣ１９）、利用期限を超過すると書籍の原稿本体を閲覧するための利用期限の制限機能を持つプログラムによる書籍の原稿本体の表示を不可とする前記第３の手順とを含む方法である。
【００５９】
次に本発明の第３の実施の形態について図面を参照して詳細に説明する。
【００６０】
本発明の第３の実施の形態は、書籍を電子化して原稿本体、管理データからなる書籍データとして保持する第１の手順（図２ステップＢ１、Ｂ２）と、前記第１の手順からネットワーク５０を介して書籍データを受信し（図２ステップＡ２）、管理データから生成した検索用キーワード、圧縮した書籍の原稿本体を保持し（図２ステップＡ３）、第３の手順からの書籍データの検索要求に対し、認証を実施し（図４ステップＡ１４）、検索用キーワードを使用して検索を実施し（図４ステップＡ１８）、検索対象の書籍データを保持していれば、書籍の原稿本体と書籍の原稿本体を閲覧するための利用期限の制限機能を持つプログラムとの組を暗号化してネットワーク５０を介し前記第３の手順へ送信する前記第２の手順（図４ステップＡ１９〜Ａ２１）と、前記第２の手順にネットワーク５０を介し書籍データの検索要求を送信し（図４ステップＣ８〜Ｃ１６）、前記第２手順から受信した書籍の原稿本体を利用者から指定されると、書籍の原稿本体を閲覧するための利用期限の制限機能を持つプログラムを起動し、書籍の原稿本体を表示し（図４ステップＣ１９）、利用期限を超過すると書籍の原稿本体を閲覧するための利用期限の制限機能を持つプログラムによる書籍の原稿本体の表示を不可とする前記第３の手順とをコンピュータに実行させるプログラムである。
【００６１】
【発明の効果】
第１の効果は、利用者は図書館に行かずとも書籍を利用することができることである。
【００６２】
第２の効果は、書籍を電子化して保管するため図書館の小スペース化、および、立地を選ばないことである。
【００６３】
第３の効果は、書籍が電子化しているため、貸し出し中状態が発生しないことである。また、出版者との契約を行うことで、１書籍についてライセンス数分の貸し出しを行うこともできる。
【００６４】
第４の効果は、閲覧プログラムを介しての書籍参照のため他の用途のためのデジタルコピーを防ぎ、著作権の保護が行えることである。
【００６５】
第５の効果は、書籍データに有効期限を持たせ、一時貸し出しの位置付けとして、著作権の保護ができることである。
【図面の簡単な説明】
【図１】本発明の第１の実施の形態の構成を示すブロック図である。
【図２】本発明の第１の実施の形態の動作を示すフローチャートである。
【図３】本発明の第１の実施の形態の動作を示すフローチャートである。
【図４】本発明の第１の実施の形態の動作を示すフローチャートである。
【図５】書籍利用者認証用画面を示す説明図である。
【図６】書籍検索画面を示す説明図である。
【符号の説明】
１０　　図書サーバシステム
１１　　データ格納サーバ
１２　　利用者認証サーバ
１３　　データ検索サーバ
１４　　データ提供サーバ
１５　　暗号化装置
２０　　利用者端末
４０　　出版社システム
５０　　ネットワーク
【図１】
2004046406.tif 000003
【図２】
2004046406.tif 000004
【図３】
2004046406.tif 000005
【図４】
2004046406.tif 000006
【図５】
2004046406.tif 000007
【図６】
2004046406.tif 000008